(57)【要約】【課題】簡単な構造で複数のハンガーを上下連続的に吊り下げることができる衣類ハンガーを提供する。【解決手段】掛け部４を有する本体部２と、この本体部２に備えられるフック部１とで構成される衣類ハンガーにおいて、フック部１の湾曲頂部に、その湾曲方向に対して直交する側方に向けて凹み３を設けて、一方のハンガー本体Ａのフック部１に他方のハンガー本体Ａの凹み３を引っ掛けて上下のフック部１同士を係脱自在に連結することにより、複数のハンガー本体Ａが上下連続的に吊り下げられて、洋服タンス等に数多くの衣類Ｂをハンガー掛けにて収納保管できるようにした。【選択図】図１
2005270587.tif 000002
【特許請求の範囲】
【請求項１】
上着等が掛けられる掛け部を有する本体部と、この本体部に備えられるフック部とで構成されてなる衣類ハンガーにおいて、
上記フック部の湾曲頂部に、その湾曲方向に対して直交する側方に向けて平面視略Ｕ字状又はＶ字状の凹みを設けて、一方のハンガー本体の前記フック部に他方のハンガー本体の前記凹みを引っ掛けることにより、複数のハンガー本体が上下連続的に吊り下げられるように構成してなることを特徴とする衣類ハンガー。
【請求項２】
請求項１記載の平面視略Ｕ字状凹みが、フック部の太さに相当する程度の開口幅を有し、その深さが、前記フック部に引っ掛けられた状態において、下側に吊り下げられるハンガー本体が略垂直姿勢になる程度であることを特徴とする衣類ハンガー。
【請求項３】
上着等が掛けられる掛け部を有する本体部と、この本体部に備えられるフック部とで構成されてなる衣類ハンガーにおいて、
上記本体部の両側掛け部の中心部に、フック部を掛けるフック掛け部を設けて、一方のハンガー本体の前記フック掛け部に他方のハンガー本体のフック部を引っ掛けることにより、複数のハンガー本体が上下連続的に吊り下げられるように構成してなることを特徴とする衣類ハンガー。
【発明の詳細な説明】
【技術分野】
【０００１】
本発明は、上着、ズボン、スカート、ブラウスその他の衣類を掛けるハンガーに関する。
【背景技術】
【０００２】
従来から、この種の衣類ハンガーは、フック部が備えられる本体部が上着等の両肩部を掛ける掛け部と、この両掛け部の下方に横架状に備えられたズボン類を掛ける掛止桟とから略三角形状を成すものや前記掛け部のみを有するもの、更には後述の特許文献１のようにズボンの裾を挟持する一対の挟持具を水平杆部に備えてなるもの等、種々の構造、形状が提案されており、合成樹脂製や金属製が主流になっている。
そして、フック部は、合成樹脂材又は金属棒材等から一端開放の略湾曲形状に形成されて、その他端側が合成樹脂製又は金属製の本体部の中心部に一体又は連結状に備えられるようになっている。
【０００３】
ところで、日本の住宅事情、特に衣類等を収納保管する収納事情を見ると、狭いお部屋に洋服タンス等の収納家具を置いて、タンス内のハンガー掛けバーに上着、ズボン、スカート、ブラウス等の衣類を収納保管しているものであるが、ハンガーを掛ける収納スペース（掛けバ―の長さ）には限りがあり、多くの衣類をハンガー掛けにて収納することができないでいるのが実情である。
そのために、部屋の壁や柱、桟等にネジや釘等を取り付けてハンガーを掛けるスペースを確保等の工夫にて数多くの衣類をハンガー掛けできるようにしている。
【０００４】
しかし乍ら、狭い部屋に前述した工夫を行ってハンガーを掛けるスペースを確保したとしても、ハンガー掛けする衣類は日常的に着るための衣類に限られる。つまり、季節等の要因により不必要となった夏用や冬用等の衣類をこの様な工夫のもとでハンガー掛けすることは、埃等の付着を避けた保管には不向きであるばかりか、部屋の整理整頓がつかなくなる等の不具合が生じる。
【０００５】
そこで、従来では複数のハンガーを上下に吊り下げ連結可能とする衣類ハンガーがある（特許文献１）。
ところが、この様なハンガー同士の連結吊り下げ構造では二段目以降に吊り下げられるハンガーのフック部を、上段ハンガーの貫通孔に引っ掛けるために向きを略90℃変える必要があることから、フック部を首振り回動自在に備えたり、フック部を掛けるための貫通孔を設ける必要がある等の複雑なフック部の取付構造等を採用しなければならず、製作コストの高騰を招く要因となり、この種の衣類ハンガーにおいては実施化に欠けるものであった。
【０００６】
【特許文献１】実開昭５７−１４７６３８号
【発明の開示】
【発明が解決しようとする課題】
【０００７】
本発明が解決しようとする課題は、一方のハンガーに他方のハンガーのフック部を引っ掛ける掛け構造にて複数のハンガーを上下連続的に吊り下げることができ、しかも、上段のハンガーに下段側のハンガーを引っ掛けるに際してフック部の方向を本体部方向に向けて掛けることができる衣類ハンガーを低コストで提供することにある。
【課題を解決するための手段】
【０００８】
上記課題を解決するために本発明は、請求項１では、上着等が掛けられる掛け部を有する本体部と、この本体部に備えられるフック部とで構成されてなる衣類ハンガーにおいて、上記フック部の湾曲頂部に、その湾曲方向に対して直交する側方に向けて平面視略Ｕ字状又はＶ字状等の凹みを設けて、一方のハンガー本体の前記フック部に他方のハンガー本体の前記凹みを引っ掛けて上下のフック部同士を係脱自在に連結することにより、複数のハンガー本体が上下に連続的に吊り下げられるように構成してなることを特徴とする衣類ハンガーにある。
【０００９】
また、請求項２では、請求項１記載の平面視略Ｕ字状の凹みが、フック部の太さに相当する開口幅を有し、その深さが、上段のハンガー本体のフック部に引っ掛けられた状態において、下側に吊り下げられるハンガー本体が略垂直姿勢になる程度であることを特徴とする衣類ハンガーにある。
【００１０】
そして、請求項３では、上着等が掛けられる掛け部を有する本体部と、この本体部に備えられるフック部とで構成されてなる衣類ハンガーにおいて、本体部の掛け部中心部における前後少なくとも一方部位に、フック部を掛けるフック掛け部を設けて、一方のハンガー本体の前記フック掛け部に他方のハンガー本体のフック部を引っ掛けることにより、複数のハンガー本体が上下連続的に吊り下げられるように構成してなることを特徴とする衣類ハンガーにある。
そして、前記フック掛け部が、適宜の大きさ（太さ）を有する突起状に形成され、フック部が掛けられる上面側にはフック部の横ズレ脱落を防ぐ掛止溝が形成されてなることにある。
【発明の効果】
【００１１】
本発明の衣類ハンガーは叙上の如く構成してなることから下記の作用効果を奏する。
請求項１又は２記載によれば、タンス内のハンガー掛けバー等に掛けるフック部の湾曲頂部に、その湾曲方向に対して直交する側方に向けて凹みを設けて、この凹みを前記ハンガー掛けバー等に直接掛けられる上段のハンガー本体のフック部に引っ掛けて上下のハンガー本体のフック部同士を連結することで、複数のハンガー本体を上下連続的に吊り下げることができる。
従って、例えばハンガー本体のフック部が適宜の太さと剛性を有する金属線材等からなる場合には、フック部の曲げ加工と同様の曲げ加工により、フック部に凹みを形成することができることで、低コストでの提供が可能となる。
【００１２】
そして、請求項２記載によれば、ハンガー掛けバー等に掛けられる上段のハンガー本体は勿論、二段目以降のハンガー本体をも吊り下げ状態が斜めに傾くことなく、真下に向けた略垂直姿勢の連結吊り下げ状態とし得る。これにより、衣類の吊り下げ幅を取らずに複数の衣類を上下連続的に吊り下げることができる。
【００１３】
また、請求項３記載によれば、タンス内のハンガー掛けバー等に直接掛けられる上段のハンガー本体のフック掛け部に二段目のハンガー本体のフック部を、この二段目のハンガー本体のフック掛け部に三段目のハンガー本体のフック部を掛けて上下のハンガー本体同士を連結することで、複数のハンガー本体を上下連続的に吊り下げることができる。
【００１４】
従って、本発明の衣類ハンガーによれば、複数のハンガー本体を上下に連続的に吊り下げることができることで、洋服タンス等の縦方向の収納スペース（空間）を有効に利用して、数多くの衣類をハンガー掛けにて収納保管することができ、日本の住宅事情において実用性に優れた衣類ハンガーを提供することができる。
また、店頭等における衣服の吊り下げ陳列において、例えば柄違いや色違いの衣服を縦方向に、消費者が商品を選び易い状態にて陳列することができる等の効果を有する衣類ハンガーを提供することができる。
【発明を実施するための最良の形態】
【００１５】
本発明の最良の実施形態を図１〜図７に基づいて説明する。
【実施例１】
【００１６】
図１は、請求項１及び２に係る本発明衣類ハンガーの実施形態の一例を示し、１はフック部、２は本体部、３はフック部１に備えられる凹みであり、一方のハンガー本体Ａのフック部１根元に他方のハンガー本体Ａの凹み３を引っ掛けることにより、複数のハンガー本体Ａ…が上下連続的に連結吊り下げられるように形成してある。
即ち、例えば洋服タンスの掛けバーＣ等にフック部１を直接引っ掛けて吊り下げられる最上段のハンガー本体Ａから２段目、３段目のように複数のハンガー本体Ａ…が上下連続的に連結吊り下げられるようにしてある。
【００１７】
ハンガー本体Ａの構成形態としては特に限定されるものではないが、その一例を挙げるならば、上着等の両肩部を掛ける両側掛け部４と、この掛け部４の下方に横架状に備えられたズボン類を掛ける掛け桟５とから略三角形状を成す又は前記掛け部４のみからなる合成樹脂製や金属製からなる本体部２と、前記両側掛け部４の中心部（左右境部）に備えられるフック部１とで構成される周知の構造である。
【００１８】
フック部１は、本体部２から一体に設けられる或いは適宜の太さと剛性を有する金属棒材等より別個に形成されて本体部２の掛け部４中心部における上面に取り付けられる等によって、本体部２に備えられるものであり、その湾曲頂部には湾曲方向に対して直交する側方に向けた平面視略Ｕ字状の凹み３が備えられている。
尚、図示を省略しているが、凹み３の形状として、平面視略Ｖ字状とするも良い。
【００１９】
凹み３は、上段側のハンガー本体Ａのフック部１に、下段側のハンガー本体Ａのフック部１を、同下段側のハンガー本体Ａを略垂直姿勢に引っ掛けるためのものであり、フック部１が合成樹脂からなる本体部２と一体に成形された合成樹脂製である場合には、ハンガー本体Ａの成形と同時にフック部１に形成されるものである。そして、フック部１が前述の金属棒材からなる場合には、同フック部１の曲げ加工時において曲げ加工により形成されるものである。
尚、凹み３が図示のように平面視略Ｕ字状である場合、その開口幅Ｌ1は、フック部１の太さに相当する程度の寸法幅にて形成されている。そして、深さＬ2については、上段のハンガー本体Ａのフック部１に引っ掛けられた状態において、下側のハンガー本体Ａが略垂直姿勢にて連結吊り下げられる程度に形成されている。
【００２０】
尚、この凹み３の深さＬ2においては掛け部４が太い、細い等の本体部２の形態、そして掛け部４に掛けられる上着やワンピース等のように衣類Ｂの厚さに合わせた夫々の深さを有する。即ち、上着等のように、生地が厚いものにおいては掛け部４に掛けられた状態においてワンピース等の生地が薄いものに比べて掛け部４を含めた幅が厚く（広く）なることから、これらの幅を考慮した夫々の深さＬ2にて形成されるものである。
【００２１】
次ぎに、以上の如く構成された本例の衣類ハンガーの使用例について説明する。
例えば、図２に示したように、洋服タンス等のハンガー掛けバーＣ等に掛けて複数の衣類Ｂを上下多段に収納保管する場合には掛けバーにフック部１を直接掛けて下げられる上段のハンガー本体Ａのフック部１に、二段目のフック部１の凹み３を係脱自在に引っ掛けて上下のフック部１同士を上下に連結することを行うことで、三段目、四段目のハンガー本体Ａを上下に連続的に吊り下げることができる。
従って、今まで有効に利用されていなかった洋服タンス内等の縦方向の収納スペース（空間）を有効に利用して数多くの衣類Ｂをハンガー掛けにて収納保管したり、或いは店頭等における衣服の陳列、例えば柄違いや色違いの衣服を縦方向に、消費者が商品を選び易い状態にて陳列することができる。
【００２２】
図３は、他の使用例を示し、ハンガー掛けバーＣに掛けたハンガー本体Ａのフック部１に対して２段目以降のハンガー本体Ａを上下前後に連続的に吊り下げてなるものである。
この例におけるハンガー本体Ａの本体部２においてはズボン類等を掛ける掛け桟５を取り除いた掛け部４のみから形成してなるものである。
【００２３】
図４は、更に他の使用例を示し、ハンガー掛けバーＣに掛けたハンガー本体Ａのフック部１から吊り下げた二段目のハンガー本体Ａに対し、三段目以降のハンガー本体Ａを順次に吊り下げる場合、図示したように、三段目のハンガー本体Ａが上段の真下に位置して吊り下がり、四段目のハンガー本体Ａが二段目のハンガー本体Ａの真下に位置して吊り下がるように前後交互に連結吊り下げるものである。これにより、前述した本体部２の形態、そして掛け部４に掛かられる衣類Ｂの厚さ等に応じて前方に出っ張る吊り下げ厚みが、一段毎に前後交互になることで、吊り下げ幅を取らずに複数の衣類Ｂを吊り下げることができるものである。
この例においても前述のように、本体部２を掛け部４のみから形成してなるものである。
【実施例２】
【００２４】
図５は、本発明衣類ハンガーの他の実施形態を示し、斯かる実施例では前述実施例１の凹み３の湾曲先端側を上方に向けて略直角に折り曲げて、当該部分に第２の凹み５を設けることで、図３（ｂ）に示したように、部屋の壁や柱等に釘やネジ等の取り付けにより備えられる吊掛け部７に対して上段のハンガー本体A-1を安定且つ緊密に引っ掛けて複数のハンガー本体A-1を上下連続的に吊り下げることができるように形成してなる。
【００２５】
尚、斯かる実施例においては図示したように、所定の長さを有する横杆等からなる本体部2-1にフック部1-1を備え、該本体部2-1には左右一対の挟持具６を横スライドにより間隔可変自在に備えてなるズボン、スカート等のハンガー本体A-1を示しているが、前述実施例１のような略三角形状の本体部２であっても良く、任意である。
【実施例３】
【００２６】
図６は、請求項３に係る本発明衣類ハンガーの実施形態を示し、本体部２の両側掛け部４の中心部（左右境部）にフック掛け部７を備えて、ハンガー掛けバーＣ等に直接引っ掛けられる一方のハンガー本体Ａの前記フック掛け部７に他方のハンガー本体Ａのフック部１を引っ掛けることにより、複数のハンガー本体Ａ…が上下連続的に連結吊り下げられるように形成している。
尚、斯かる実施例３におけるハンガー本体Ａは前述実施例１の構成と基本的に変わりがないことから、同じ構成部分に同じ符号を付することで重複説明は省略する。
【００２７】
フック掛け部７は、本体部２と同じ部材等の所望な部材を用いて適宜の太さを有する棒状に形成され、フック部１が備えられる本体部２の掛け部４中心部における前後面に突出状に取り付けられる等によって、本体部２に備えられるものであり、その上面部にはフック部１が横ズレ脱落するのを防ぐために掛止溝８が縦断面略湾曲状（円弧状）に形成されている。
【００２８】
尚、図示を省略しているが、フック掛け部７は、本体部２の前後面に個々に備えるも、本体部２に前後貫通孔を設けて、この貫通孔に貫通固着せしめることで、前後面に突出一体状に備える等、任意である。
また、フック掛け部７の形状としては、図示例のような突起形状に限らず、フック形状や鉤型形状等任意である。要するに、フック部1-1を掛けることができる掛け形状であれば良い。
【００２９】
而して、前述実施例１のように、洋服タンス等のハンガー掛けバーＣ等に掛けて複数の衣類Ｂを上下多段に収納保管する場合には掛けバーＣにフック部１を直接掛けて下げられる上段のハンガー本体Ａのフック掛け部１に、二段目のハンガー本体Ａのフック部１を引っ掛け、この二段目のハンガー本体のフック掛け部に三段目のハンガー本体のフック部を引っ掛けて上下に連結することを行うことで、三段目、四段目のハンガー本体Ａを上下に連続的に吊り下げることができる。
この時、二段目の以降に掛けられるハンガー本体Ａを一段毎に前後交互になるように掛ける。即ち、二段目のハンガー本体Ａのフック掛け部７に三段目のハンガー本体Ａのフック部１を掛ける場合、二段目ハンガー本体Ａの後側のフック掛け部７にフック部１を掛け、四段目のハンガー本体Ａのフック部１を三段目ハンガー本体Ａの前側のフック掛け部７に掛ける等の前後交互に掛けることも可能であり、複数のハンガー本体Ａ…を上下に連続的に吊り下げるその吊り下げ掛け形態は任意である。
【実施例４】
【００３０】
図７は、本発明衣類ハンガーの他の実施形態を示し、斯かる実施例では前述実施例２のハンガー本体A-1の前後面にフック掛け部９を備えて、複数のハンガー本体A-1を上下連続的に吊り下げることができるように形成している。
ハンガー本体A-1の構成形態は実施例２と基本的に同じことから、同じ構成部分に同じ符号を付することで重複説明は省略する。
【００３１】
フック掛け部９は、本体部2-1に取り付けられる内側外径よりも外側外径を大きめに形成されてなる台円形状を成し、フック部1-1が備えられる本体部2-1の中心部前後面に適宜の高さにて突出状に備えて、前述のように、二段目、三段目のハンガー本体A-1を上下に連続的に吊り下げ連結し得るように形成している。
【００３２】
尚、本発明の具体的な実施例にあっては、前述の各実施例構成に限定されるものではなく、請求項１〜３記載の要旨を免脱しない範囲で種々変更して行うことができるものである。
【図面の簡単な説明】
【００３３】
【図１】請求項１〜２に係る本発明衣類ハンガーの実施形態の一例を示す斜視図
【図２】同使用の一例を示す斜視図で、（ａ）はハンガー掛けバーにハンガーを掛け、この上段のハンガーに二段目のハンガーを連結吊り下げる状態を示す、（ｂ）は上段のハンガーに二段目、三段目のハンガーを上下連続的に吊り下げた状態を示す
【図３】他の使用例を示す斜視図
【図４】更に他の使用例を示す斜視図
【図５】（ａ）はハンガー本体を変えた他の実施形態を示す斜視図、（ｂ）は同使用の一例を示す斜視図
【図６】請求項３に係る本発明衣類ハンガーの実施形態の一例を示す斜視図、（ａ）は上下に連続的に吊り下げ連結させた状態を示す、（ｂ）は同ハンガー本体の側面図
【図７】（ａ）はハンガー本体を変えた他の実施形態を示す斜視図、（ｂ）は同側面図
【符号の説明】
【００３４】
Ａ,A-1：ハンガー本体
１,1-1：フック部
２,2-1：本体部
３：凹み
４：掛け部
５：第２の凹み
７,９：フック掛け部
【図１】
2005270587.tif 000003
【図２】
2005270587.tif 000004
【図３】
2005270587.tif 000005
【図４】
2005270587.tif 000006
【図５】
2005270587.tif 000007
【図６】
2005270587.tif 000008
【図７】
2005270587.tif 000009